(57)【要約】【課題】入力した画像情報から、ＵＲＬサイトへリンクが可能なファイルを生成する。【解決手段】入力Ｉ／Ｆ１２を介してスキャナ３から読み込まれた原稿画像情報は、抽出部１３によってＯＣＲ処理されて文字列化される。埋込部１４は、画像情報中に、抽出したＵＲＬ情報を示す画像の近傍にＷｅｂサイトへのリンク要求を受け付けるクリッカブル領域画像を生成し、該領域画像に、リンク要求が受け付けられた場合Ｗｅｂサイトへリンクさせるリンク指示情報を埋め込む。ファイル生成部１５は、画像情報、クリッカブル領域画像、および埋め込まれたリンク指示情報を合成したファイルを生成する。【選択図】        図１
2005242556.tif 000002
【特許請求の範囲】
【請求項１】
画像情報を入力して前記画像情報中のアドレス情報を抽出する抽出手段と、
前記抽出手段が抽出したアドレス情報を示す画像の近傍に前記アドレス情報が示すＷｅｂサイトへのリンク要求を受け付けるクリッカブル領域画像を生成し、生成された前記クリッカブル領域画像において前記リンク要求が受け付けられた場合、前記Ｗｅｂサイトへリンクさせるリンク指示情報を、埋め込む埋込手段と、
入力した前記画像情報、前記埋込手段によって生成されたクリッカブル領域画像、および埋め込まれた前記リンク指示情報を合成したファイルを生成するファイル生成手段と、
を備えたことを特徴とするアドレス情報再現装置。
【請求項２】
画像を読み取る読取手段を、さらに備え、
前記抽出手段は、前記読取手段によって読み取られた画像情報から前記アドレス情報を抽出するものであることを特徴とする請求項１に記載のアドレス情報再現装置。
【請求項３】
前記抽出手段は、前記画像情報中のバーコードを読み取って前記アドレス情報を抽出するものであることを特徴とする請求項１または２に記載のアドレス情報再現装置。
【請求項４】
前記抽出手段は、前記画像情報を文字認識して前記アドレス情報を抽出するものであることを特徴とする請求項１に記載のアドレス情報再現装置。
【請求項５】
前記埋込手段は、前記リンク指示情報をハイパーテキスト形式で記述して埋め込むものであることを特徴とする請求項１〜４のいずれか１つに記載のアドレス情報再現装置。
【請求項６】
前記抽出手段によって抽出された前記アドレス情報の示すＷｅｂサイトにアクセスする通信手段を、さらに備え、
前記埋込手段は、前記通信手段が前記アドレス情報の示すＷｅｂサイトにアクセスして当該Ｗｅｂサイトが存在していた場合にのみ、前記リンク指示情報を前記クリッカブル領域画像に埋め込むものであることを特徴とする請求項１〜５のいずれか１つに記載のアドレス情報再現装置。
【請求項７】
前記通信手段がアクセスする前記アドレス情報の示すＷｅｂサイトから受信する情報が画像情報を含む場合、前記抽出手段は、前記通信手段により受信する画像中のアドレス情報を抽出するものであることを特徴とする請求項６に記載のアドレス情報再現装置。
【請求項８】
前記抽出手段が、前記受信する画像から前記アドレス情報が示すＷｅｂサイトにおける表示画像パス情報を抽出した場合、
前記通信手段は、前記抽出手段によって抽出された表示画像パス情報に基づいて前記Ｗｅｂサイトのアイコン画像および他の画像のうち１つ以上の画像を取得し、
前記埋込手段は、前記抽出手段により抽出された前記表示画像パス情報に代えて、前記通信手段により取得された前記１つ以上の画像、および前記バーコードの画像のうちの１つ以上の画像を、前記クリッカブル領域画像として生成するものであることを特徴とする請求項６に記載のアドレス情報再現装置。
【請求項９】
入力した画像情報中のアドレス情報を抽出する抽出工程と、
前記抽出工程で抽出したアドレス情報を示す画像の近傍に前記アドレス情報が示すＷｅｂサイトへのリンク要求を受け付けるクリッカブル領域画像を生成し、生成された前記クリッカブル領域画像において前記リンク要求が受け付けられた場合、前記Ｗｅｂサイトへリンクさせるリンク指示情報を、埋め込む埋込工程と、
入力した前記画像情報、前記埋込工程によって生成されたクリッカブル領域画像、および埋め込まれた前記リンク指示情報を合成したファイルを生成するファイル生成工程と、
を含むことを特徴とするアドレス情報再現方法。
【請求項１０】
画像を読み取る読取工程を、さらに含み、
前記抽出工程は、前記読取工程において読み取られた画像情報から前記アドレス情報を抽出するものであることを特徴とする請求項９に記載のアドレス情報再現方法。
【請求項１１】
前記抽出工程は、前記画像情報中のバーコードを読み取って前記アドレス情報を抽出するものであることを特徴とする請求項９または１０に記載のアドレス情報再現方法。
【請求項１２】
前記抽出工程は、前記画像情報を文字認識して前記アドレス情報を抽出するものであることを特徴とする請求項９または１０に記載のアドレス情報再現方法。
【請求項１３】
前記埋込工程は、前記リンク指示情報をハイパーテキスト形式で記述して埋め込むものであることを特徴とする請求項９〜１２のいずれか１つに記載のアドレス情報再現方法。
【請求項１４】
前記抽出工程によって抽出された前記アドレス情報の示すＷｅｂサイトにアクセスする通信工程を、さらに備え、
前記埋込工程は、前記通信工程が前記アドレス情報の示すＷｅｂサイトにアクセスして当該Ｗｅｂサイトが存在していた場合にのみ、前記リンク指示情報を前記クリッカブル領域画像に埋め込むものであることを特徴とする請求項９〜１３のいずれか１つに記載のアドレス情報再現方法。
【請求項１５】
前記通信工程においてアクセスする前記アドレス情報の示すＷｅｂサイトから受信する情報が画像情報を含む場合、前記抽出工程は、前記通信工程により受信する画像中のアドレス情報を抽出するものであることを特徴とする請求項１４に記載のアドレス情報再現方法。
【請求項１６】
前記抽出工程が、前記受信する画像から前記アドレス情報が示すＷｅｂサイトにおける表示画像パス情報を抽出した場合、
前記通信工程は、前記抽出工程によって抽出された表示画像パス情報に基づいて前記Ｗｅｂサイトのアイコン画像および他の画像のうち１つ以上の画像を取得し、
前記埋込工程は、前記抽出工程により抽出された前記表示画像パス情報に代えて、前記通信工程により取得された前記１つ以上の画像、および前記バーコードの画像のうちの１つ以上の画像を、前記クリッカブル領域画像として生成するものであることを特徴とする請求項１４に記載のアドレス情報再現方法。
【請求項１７】
請求項９〜１６のいずれか１つに記載のアドレス情報再現方法をコンピュータに実行させることを特徴とするプログラム。
【請求項１８】
情報端末であって、
画像情報を入力して前記画像情報中のアドレス情報を抽出する抽出手段と、
前記抽出手段が抽出したアドレス情報を示す画像の近傍に前記アドレス情報が示すＷｅｂサイトへのリンク要求を受け付けるクリッカブル領域画像を生成し、生成された前記クリッカブル領域画像において前記リンク要求が受け付けられた場合、前記Ｗｅｂサイトへリンクさせるリンク指示情報を、埋め込む埋込手段と、
入力した前記画像情報、前記埋込手段によって生成されたクリッカブル領域画像、および埋め込まれた前記リンク指示情報を合成したファイルを生成するファイル生成手段と、
を有することを特徴とするアドレス情報再現可能な情報端末。
【請求項１９】
前記情報端末は、デジタル複合機であることを特徴とする請求項１８に記載のアドレス情報再現可能な情報端末。
【請求項２０】
前記情報端末は、携帯型電話機であることを特徴とする請求項１８に記載のアドレス情報再現可能な情報端末。
【請求項２１】
前記情報端末は、ＤＶＤ（Ｄｉｇｉｔａｌ  Ｖｅｒｓａｔｉｌｅ  Ｄｉｓｃ）録画機であることを特徴とする請求項１８に記載のアドレス情報再現可能な情報端末。
【発明の詳細な説明】
【技術分野】
【０００１】
本発明は、アドレス情報再現装置、アドレス情報再現方法、その方法をコンピュータに実行させるプログラム、およびアドレス情報再現可能な情報端末に関するものである。
【背景技術】
【０００２】
従来、紙媒体に印刷されたバーコード情報は、専用のバーコードリーダーによって読み取られて利用されていた。バーコード情報の中でも、二次元バーコード（ＱＲ（Ｑｕｉｃｋ  Ｒｅｓｐｏｎｓｅ）コード）情報は、数値情報だけでなく、インターネットのアクセス手段として用いられるアドレスであるＵＲＬ（Ｕｎｉｆｏｒｍ  Ｒｅｓｏｕｒｃｅ  Ｌｏｃａｔｏｒ）を含む情報をキャラクターコードとして格納可能である。バーコード情報の一般化に伴って最近、一次元バーコード識別装置あるいはＱＲコード識別装置が、携帯電話やＰＤＡ（携帯情報端末）などのポータブルモバイルデバイスに搭載され、これらのバーコードを読み取って読み取られたアドレス情報の示すＷｅｂサイトへアクセスするために使われ始めている。
【０００３】
さらに、ＰＤＡだけでなく、例えばファクシミリにおいて受信した文書からアドレス情報を抽出し、抽出されたアドレス情報の示すＷｅｂサイトの文書を検索し、検索された文書を送信する技術が考案されている（特許文献１）。
【０００４】
【特許文献１】特開平１１−１１０３９３号公報
【発明の開示】
【発明が解決しようとする課題】
【０００５】
しかしながら、特許文献１に記載された技術は、単にファクシミリで読み取った文書からアドレス情報を抽出し、抽出されたアドレス情報に示されたＷｅｂサイトへアクセスして該サイトの文書を送信するものである。そのため当該技術は、読み取った画像情報に対して抽出したアドレスへのリンク情報を埋め込むというような効率的な画像情報の再利用については提案していなかった。
【０００６】
本発明は、上記の問題に鑑みてなされ、入力した画像情報からアドレスへリンクが可能な再利用効率の高いファイルを生成するアドレス情報再現装置、アドレス情報再現方法、その方法をコンピュータに実行させるプログラム、およびアドレス情報再現可能な情報端末を提供することを目的とする。
【課題を解決するための手段】
【０００７】
上述した課題を解決し、目的を達成するために、請求項１にかかる発明は、アドレス情報再現装置であって、画像情報を入力して前記画像情報中のアドレス情報を抽出する抽出手段と、前記抽出手段が抽出したアドレス情報を示す画像の近傍に前記アドレス情報が示すＷｅｂサイトへのリンク要求を受け付けるクリッカブル領域画像を生成し、生成された前記クリッカブル領域画像において前記リンク要求が受け付けられた場合、前記Ｗｅｂサイトへリンクさせるリンク指示情報を、埋め込む埋込手段と、入力した前記画像情報、前記埋込手段によって生成されたクリッカブル領域画像、および埋め込まれた前記リンク指示情報を合成したファイルを生成するファイル生成手段と、を備えたことを特徴とする。
【０００８】
この請求項１にかかる発明によれば、抽出手段は入力した画像情報中のアドレス情報を抽出し、埋込手段は抽出したアドレス情報を示す画像の近傍にアドレス情報が示すＷｅｂサイトへのリンクを受け付けるクリッカブル領域画像を生成し、生成されたクリッカブル領域画像上でリンク要求が受け付けられた場合、Ｗｅｂサイトへリンクさせるリンク指示情報を埋め込み、ファイル生成手段は入力した画像情報、生成されたクリッカブル領域画像、およびリンク指示情報を合成したファイルを生成する。この構成によって、画像情報のアドレス情報が示すＷｅｂサイトへのリンクが可能なアドレス情報再現機能を有するファイルを生成するので、画像情報からＷｅｂサイトにアクセスできる再利用効率の高いファイルを生成できるアドレス情報再現装置を提供できる。
【０００９】
また、請求項２にかかる発明は、請求項１に記載のアドレス情報再現装置において、画像を読み取る読取手段を、さらに備え、前記抽出手段は、前記読取手段によって読み取られた画像情報から前記アドレス情報を抽出するものであることを特徴とする。
【００１０】
この請求項２にかかる発明によれば、画像を読み取る読取手段を、さらに備え、抽出手段は、読取手段によって読み取られた画像情報からアドレス情報を抽出する。この構成によって、読取手段が読み取った画像情報を基にして、Ｗｅｂサイトにアクセスできる再利用効率の高いファイルを生成できるアドレス情報再現装置を提供できる。
【００１１】
また、請求項３にかかる発明は、請求項１または２に記載のアドレス情報再現装置において、前記抽出手段は、前記画像情報中のバーコードを読み取って前記アドレス情報を抽出するものであることを特徴とする。
【００１２】
この請求項３にかかる発明によれば、抽出手段は、画像情報中のバーコードを読み取ってアドレス情報を抽出する。この構成によって、画像情報中のバーコードを読み取って抽出されたアドレス情報を利用するので、画像情報からＷｅｂサイトにアクセスできる再利用効率の高いファイルを生成できるアドレス情報再現装置を提供できる。
【００１３】
また、請求項４にかかる発明は、請求項１または２に記載のアドレス情報再現装置において、前記抽出手段は、前記画像情報を文字認識して前記アドレス情報を抽出するものであることを特徴とする。
【００１４】
この請求項４にかかる発明によれば、抽出手段は、画像情報を文字認識してアドレス情報を抽出する。この構成によって、画像情報を文字認識して抽出されたアドレス情報を利用するので、画像情報からＷｅｂサイトにアクセスできる再利用効率の高いファイルを生成できるアドレス情報再現装置を提供できる。
【００１５】
また、請求項５にかかる発明は、請求項１〜４のいずれか１つに記載のアドレス情報再現装置において、前記埋込手段は、前記リンク指示情報をハイパーテキスト形式で記述して埋め込むものであることを特徴とする。
【００１６】
この請求項５にかかる発明によれば、埋込手段は、リンク指示情報をハイパーテキスト形式で記述して埋め込む。この構成によって、ハイパーテキスト形式でアドレス情報を記述するので、画像情報からＷｅｂサイトにアクセスできる再利用効率の高いファイルを生成できるアドレス情報再現装置を提供できる。
【００１７】
また、請求項６にかかる発明は、請求項１〜５のいずれか１つに記載のアドレス情報再現装置において、前記抽出手段によって抽出された前記アドレス情報の示すＷｅｂサイトにアクセスする通信手段を、さらに備え、前記埋込手段は、前記通信手段が前記アドレス情報の示すＷｅｂサイトにアクセスして当該Ｗｅｂサイトが存在していた場合にのみ、前記リンク指示情報を前記クリッカブル領域画像に埋め込むものであることを特徴とする。
【００１８】
この請求項６にかかる発明によれば、抽出手段によって抽出されたアドレス情報の示すＷｅｂサイトにアクセスする通信手段を、さらに備えてアドレス情報の示すＷｅｂサイトにアクセスして当該Ｗｅｂサイトが存在していた場合にのみ、リンク指示情報をクリッカブル領域画像に埋め込む。この構成によって、Ｗｅｂサイトの存在を確認して抽出されたアドレス情報を埋めこんで利用するので、無駄無く画像情報からＷｅｂサイトにアクセスできる再利用効率の高いファイルを生成できるアドレス情報再現装置を提供できる。
【００１９】
また、請求項７にかかる発明は、請求項６に記載のアドレス情報再現装置において、前記通信手段がアクセスする前記アドレス情報の示すＷｅｂサイトから受信する情報が画像情報を含む場合、前記抽出手段は、前記通信手段により受信する画像中のアドレス情報を抽出するものであることを特徴とする。
【００２０】
この請求項７にかかる発明によれば、通信手段がアクセスするアドレス情報の示すＷｅｂサイトから受信する情報が画像情報を含む場合、抽出手段は、通信手段により受信する画像中のアドレス情報を抽出する。この構成によって、Ｗｅｂサイトから受信する画像情報に対しても、画像情報から文字認識し抽出されたアドレス情報を利用するので、Ｗｅｂサイトからの画像情報を入力した画像情報から一般のＷｅｂサイトにアクセスできる再利用効率の高いファイルを生成できるアドレス情報再現装置を提供できる。
【００２１】
また、請求項８にかかる発明は、請求項６に記載のアドレス情報再現装置において、前記抽出手段が、前記受信する画像から前記アドレス情報が示すＷｅｂサイトにおける表示画像パス情報を抽出した場合、前記通信手段は、前記抽出手段によって抽出された表示画像パス情報に基づいて前記Ｗｅｂサイトのアイコン画像および他の画像のうち１つ以上の画像を取得し、前記埋込手段は、前記抽出手段により抽出された前記表示画像パス情報に代えて、前記通信手段により取得された前記１つ以上の画像、および前記バーコードの画像のうちの１つ以上の画像を、前記クリッカブル領域画像として生成するものであることを特徴とする。
【００２２】
この請求項８にかかる発明によれば、抽出手段が、受信する画像からアドレス情報が示すＷｅｂサイトにおける表示画像パス情報を抽出した場合、通信手段は、抽出手段によって抽出された表示画像パス情報に基づいてＷｅｂサイトのアイコン画像および他の画像のうち１つ以上の画像を取得し、埋込手段は、抽出手段により抽出された表示画像パス情報に代えて、通信手段により取得された画像、およびバーコードの画像のうちの１つ以上の画像を、クリッカブル領域画像として生成する。この構成によって、Ｗｅｂサイトに画像情報が存在した場合、Ｗｅｂサイトの画像を受信してクリッカブル領域の画像に使用するので、視認しやすく且つ新たにクリッカブル領域画像を生成する必要がないので、無駄なく画像情報からＷｅｂサイトにアクセスできる再利用効率の高いファイルを生成できるアドレス情報再現装置を提供できる。
【００２３】
また、請求項９にかかる発明は、アドレス情報再現方法であって、入力した画像情報中のアドレス情報を抽出する抽出工程と、前記抽出工程で抽出したアドレス情報を示す画像の近傍に前記アドレス情報が示すＷｅｂサイトへのリンク要求を受け付けるクリッカブル領域画像を生成し、生成された前記クリッカブル領域画像において前記リンク要求が受け付けられた場合、前記Ｗｅｂサイトへリンクさせるリンク指示情報を、埋め込む埋込工程と、入力した前記画像情報、前記埋込工程によって生成されたクリッカブル領域画像、および埋め込まれた前記リンク指示情報を合成したファイルを生成するファイル生成工程と、を含むことを特徴とする。
【００２４】
この請求項９にかかる発明によれば、抽出工程においては入力した画像情報中のアドレス情報を抽出し、埋込工程においては、抽出されたアドレス情報を示す画像の近傍にアドレス情報が示すＷｅｂサイトへのリンク要求を受け付けるクリッカブル領域画像を生成し、生成されたクリッカブル領域画像においてリンク要求が受け付けられた場合、Ｗｅｂサイトへリンクさせるリンク指示情報を、埋め込み、ファイル生成工程においては、入力した画像情報、生成されたクリッカブル領域画像、および埋め込まれたリンク指示情報を合成したファイルを生成する。この構成によって、画像情報のアドレス情報が示すＷｅｂサイトへのリンクが可能なアドレス情報再現機能を有するファイルを生成するので、画像情報からＷｅｂサイトにアクセスできる再利用効率の高いファイルを生成できるアドレス情報再現方法を提供できる。
【００２５】
また、請求項１０にかかる発明は、請求項９に記載のアドレス情報再現方法において、画像を読み取る読取工程を、さらに含み、前記抽出工程は、前記読取工程において読み取られた画像情報から前記アドレス情報を抽出するものであることを特徴とする。
【００２６】
この請求項１０にかかる発明によれば、画像を読み取る読取工程を、さらに含み、抽出工程は、読取工程において読み取られた画像情報からアドレス情報を抽出する。この構成によって、読取工程において読み取られた画像情報を基にして、Ｗｅｂサイトにアクセスできる再利用効率の高いファイルを生成できるアドレス情報再現方法を提供できる。
【００２７】
また、請求項１１にかかる発明は、請求項９または１０に記載のアドレス情報再現方法において、前記抽出工程は、前記画像情報中のバーコードを読み取って前記アドレス情報を抽出するものであることを特徴とする。
【００２８】
この請求項１１にかかる発明によれば、抽出工程は、画像情報中のバーコードを読み取ってアドレス情報を抽出する。この構成によって、画像情報中のバーコードを読み取って抽出されたアドレス情報を利用するので、画像情報からＷｅｂサイトにアクセスできる再利用効率の高いファイルを生成できるアドレス情報再現方法を提供できる。
【００２９】
また、請求項１２にかかる発明は、請求項９または１０に記載のアドレス情報再現方法において、前記抽出工程は、前記画像情報を文字認識して前記アドレス情報を抽出するものであることを特徴とする。
【００３０】
この請求項１２にかかる発明によれば、抽出工程は、画像情報を文字認識してアドレス情報を抽出する。この構成によって、画像情報を文字認識して抽出されたアドレス情報を利用するので、画像情報からＷｅｂサイトにアクセスできる再利用効率の高いファイルを生成できるアドレス情報再現方法を提供できる。
【００３１】
また、請求項１３にかかる発明は、請求項９〜１２のいずれか１つに記載のアドレス情報再現方法において、前記埋込工程は、前記リンク指示情報をハイパーテキスト形式で記述して埋め込むものであることを特徴とする。
【００３２】
この請求項１３にかかる発明によれば、埋込工程は、リンク指示情報をハイパーテキスト形式で記述して埋め込む。この構成によって、ハイパーテキスト形式でアドレス情報を記述するので、画像情報からＷｅｂサイトにアクセスできる再利用効率の高いファイルを生成できるアドレス情報再現方法を提供できる。
【００３３】
また、請求項１４にかかる発明は、請求項９〜１３のいずれか１つに記載のアドレス情報再現方法において、前記抽出工程によって抽出された前記アドレス情報の示すＷｅｂサイトにアクセスする通信工程を、さらに備え、前記埋込工程は、前記通信工程が前記アドレス情報の示すＷｅｂサイトにアクセスして当該Ｗｅｂサイトが存在していた場合にのみ、前記リンク指示情報を前記クリッカブル領域画像に埋め込むものであることを特徴とする。
【００３４】
この請求項１４にかかる発明によれば、抽出工程によって抽出されたアドレス情報の示すＷｅｂサイトにアクセスする通信工程を、さらに備え、埋込工程は、通信工程がアドレス情報の示すＷｅｂサイトにアクセスして当該Ｗｅｂサイトが存在していた場合にのみ、リンク指示情報をクリッカブル領域画像に埋め込む。この構成によって、Ｗｅｂサイトの存在を確認して抽出されたアドレス情報を埋めこんで利用するので、無駄無く画像情報からＷｅｂサイトにアクセスできる再利用効率の高いファイルを生成できるアドレス情報再現方法を提供できる。
【００３５】
また、請求項１５にかかる発明は、請求項１４に記載のアドレス情報再現方法において、前記通信工程においてアクセスする前記アドレス情報の示すＷｅｂサイトから受信する情報が画像情報を含む場合、前記抽出工程は、前記通信工程により受信する画像中のアドレス情報を抽出するものであることを特徴とする。
【００３６】
この請求項１５にかかる発明によれば、通信工程においてアクセスするアドレス情報の示すＷｅｂサイトから受信する情報が画像情報を含む場合、抽出工程は、通信工程により受信する画像中のアドレス情報を抽出する。この構成によって、Ｗｅｂサイトから受信する画像情報に対しても、画像情報から文字認識し抽出されたアドレス情報を利用するので、Ｗｅｂサイトからの画像情報を入力した画像情報から一般のＷｅｂサイトにアクセスできる再利用効率の高いファイルを生成できるアドレス情報再現方法を提供できる。
【００３７】
また、請求項１６にかかる発明は、請求項１４に記載のアドレス情報再現方法において、前記抽出工程が、前記受信する画像から前記アドレス情報が示すＷｅｂサイトにおける表示画像パス情報を抽出した場合、前記通信工程は、前記抽出工程によって抽出された表示画像パス情報に基づいて前記Ｗｅｂサイトのアイコン画像および他の画像のうち１つ以上の画像を取得し、前記埋込工程は、前記抽出工程により抽出された前記表示画像パス情報に代えて、前記通信工程により取得された前記１つ以上の画像、および前記バーコードの画像のうちの１つ以上の画像を、前記クリッカブル領域画像として生成するものであることを特徴とする。
【００３８】
この請求項１６にかかる発明によれば、抽出工程が、受信する画像からアドレス情報が示すＷｅｂサイトにおける表示画像パス情報を抽出した場合、通信工程は、抽出工程によって抽出された表示画像パス情報に基づいてＷｅｂサイトのアイコン画像および他の画像のうち１つ以上の画像を取得し、埋込工程は、抽出工程により抽出された表示画像パス情報に代えて、通信工程により取得された１つ以上の画像、およびバーコードの画像のうちの１つ以上の画像を、クリッカブル領域画像として生成する。この構成によって、Ｗｅｂサイトに画像情報が存在した場合、Ｗｅｂサイトの画像を受信してクリッカブル領域の画像に使用するので、視認しやすく且つ新たにクリッカブル領域画像を生成する必要がないので、無駄なく画像情報からＷｅｂサイトにアクセスできる再利用効率の高いファイルを生成できるアドレス情報再現方法を提供できる。
【００３９】
また、請求項１７にかかる発明は、プログラムであって、請求項９〜１６のいずれか１つに記載のアドレス情報再現方法をコンピュータに実行させることを特徴とする。
【００４０】
この請求項１７にかかる発明によれば、請求項９〜１６のいずれか１つに記載のアドレス情報再現方法をコンピュータに実行させることができる。
【００４１】
また、請求項１８にかかる発明は、アドレス情報再現可能な情報端末であって、情報端末であって、画像情報を入力して前記画像情報中のアドレス情報を抽出する抽出手段と、前記抽出手段が抽出したアドレス情報を示す画像の近傍に前記アドレス情報が示すＷｅｂサイトへのリンク要求を受け付けるクリッカブル領域画像を生成し、生成された前記クリッカブル領域画像において前記リンク要求が受け付けられた場合、前記Ｗｅｂサイトへリンクさせるリンク指示情報を、埋め込む埋込手段と、入力した前記画像情報、前記埋込手段によって生成されたクリッカブル領域画像、および埋め込まれた前記リンク指示情報を合成したファイルを生成するファイル生成手段と、を有することを特徴とする。
【００４２】
この請求項１８にかかる発明によれば、画像情報を入力して画像情報中のアドレス情報を抽出する抽出手段と、抽出したアドレス情報を示す画像の近傍にアドレス情報が示すＷｅｂサイトへのリンク要求を受け付けるクリッカブル領域画像を生成し、クリッカブル領域画像においてリンク要求が受け付けられた場合、Ｗｅｂサイトへリンクさせるリンク指示情報を、埋め込む埋込手段と、入力した画像情報、クリッカブル領域画像、および埋め込まれたリンク指示情報を合成したファイルを生成するファイル生成手段と、を有する。この構成によって、画像情報のアドレス情報が示すＷｅｂサイトへのリンクが可能なアドレス情報再現機能を有するファイルを生成するので、画像情報からＷｅｂサイトにアクセスできる再利用効率の高いファイルを生成できるアドレス情報再現機能を有する情報端末を提供できる。
【００４３】
また、請求項１９にかかる発明は、請求項１８に記載のアドレス情報再現可能な情報端末において、前記情報端末は、デジタル複合機であることを特徴とする。
【００４４】
この請求項１９にかかる発明によれば、情報端末は、デジタル複合機である。この構成によって、デジタル複合機の持つスキャナ機能によって読み取った後、アドレス情報再現機能によってアドレス情報再現可能なファイルを生成し、必要な場合ネットワークと介して他の情報端末に送信することができるので、画像情報からＷｅｂサイトにアクセスできる再利用効率の高いファイルを生成できるアドレス情報再現機能を有するデジタル複合機として構成できる。また、デジタル複合機において、再現されたアドレス情報の示すＷｅｂサイトにアクセスしてホームページをダウンロードし、その場で印刷することができるデジタル複合機として構成できる。
【００４５】
また、請求項２０にかかる発明は、請求項１８に記載のアドレス情報再現可能な情報端末において、前記情報端末は、携帯型電話機であることを特徴とする。
【００４６】
この請求項２０にかかる発明によれば、情報端末は、携帯型電話機である。この構成によって、画像情報を受信し、画面に表示させて、表示された画面上からリンク可能なアドレス情報をクリックすることによって、該当するＷｅｂサイトにアクセスしてＷｅｂサイトのコンテンツを表示画面上で視聴することができるアドレス情報再現機能を有する携帯型電話機として構成できる。
【００４７】
また、請求項２１にかかる発明は、請求項１８に記載のアドレス情報再現可能な情報端末において、前記情報端末は、ＤＶＤ（Ｄｉｇｉｔａｌ  Ｖｅｒｓａｔｉｌｅ  Ｄｉｓｃ）録画機であることを特徴とする。
【００４８】
この請求項２１にかかる発明によれば、情報端末は、ＤＶＤ（Ｄｉｇｉｔａｌ  Ｖｅｒｓａｔｉｌｅ  Ｄｉｓｃ）録画機である。この構成によって、画像情報を受信して、該画面上からリンク可能なアドレス情報をクリックすることによって、該当するＷｅｂサイトにアクセスすることのできるアドレス情報再現機能を有するＤＶＤ録画機として構成できる。
【発明の効果】
【００４９】
本発明（請求項１）にかかるアドレス情報再現装置は、画像情報のアドレス情報が示すＷｅｂサイトへのリンクが可能なアドレス情報再現機能を有するファイルを生成するので、画像情報からＷｅｂサイトにアクセスできる再利用効率の高いファイルを生成できるという効果を奏する。
【００５０】
また、本発明（請求項２）にかかるアドレス情報再現装置は、読取手段が読み取った画像情報を基にして、Ｗｅｂサイトにアクセスできる再利用効率の高いファイルを生成できるという効果を奏する。
【００５１】
また、本発明（請求項３）にかかるアドレス情報再現装置は、画像情報中のバーコードを読み取って抽出されたアドレス情報を利用するので、画像情報からＷｅｂサイトにアクセスできる再利用効率の高いファイルを生成できるという効果を奏する。
【００５２】
また、本発明（請求項４）にかかるアドレス情報再現装置は、画像情報を文字認識して抽出されたアドレス情報を利用するので、画像情報からＷｅｂサイトにアクセスできる再利用効率の高いファイルを生成できるという効果を奏する。
【００５３】
また、本発明（請求項５）にかかるアドレス情報再現装置は、ハイパーテキスト形式でアドレス情報を記述するので、画像情報からＷｅｂサイトにアクセスできる再利用効率の高いファイルを生成できるという効果を奏する。
【００５４】
また、本発明（請求項６）にかかるアドレス情報再現装置は、Ｗｅｂサイトの存在を確認して抽出されたアドレス情報を埋めこんで利用するので、無駄無く画像情報からＷｅｂサイトにアクセスできる再利用効率の高いファイルを生成できるという効果を奏する。
【００５５】
また、本発明（請求項７）にかかるアドレス情報再現装置は、Ｗｅｂサイトから受信する画像情報に対しても、画像情報から文字認識し抽出されたアドレス情報を利用するので、Ｗｅｂサイトからの画像情報を入力した画像情報から一般のＷｅｂサイトにアクセスできる再利用効率の高いファイルを生成できるという効果を奏する。
【００５６】
また、本発明（請求項８）にかかるアドレス情報再現装置は、Ｗｅｂサイトに画像情報が存在した場合、Ｗｅｂサイトの画像を受信してクリッカブル領域の画像に使用するので、視認しやすく且つ新たにクリッカブル領域画像を生成する必要がないので、無駄なく画像情報からＷｅｂサイトにアクセスできる再利用効率の高いファイルを生成できるという効果を奏する。
【００５７】
また、本発明（請求項９）にかかるアドレス情報再現方法は、画像情報のアドレス情報が示すＷｅｂサイトへのリンクが可能なアドレス情報再現機能を有するファイルを生成するので、画像情報からＷｅｂサイトにアクセスできる再利用効率の高いファイルを生成できるという効果を奏する。
【００５８】
また、本発明（請求項１０）にかかるアドレス情報再現方法は、読取工程において読み取られた画像情報を基にして、Ｗｅｂサイトにアクセスできる再利用効率の高いファイルを生成できるという効果を奏する。
【００５９】
また、本発明（請求項１１）にかかるアドレス情報再現方法は、画像情報中のバーコードを読み取って抽出されたアドレス情報を利用するので、画像情報からＷｅｂサイトにアクセスできる再利用効率の高いファイルを生成できるという効果を奏する。
【００６０】
また、本発明（請求項１２）にかかるアドレス情報再現方法は、画像情報を文字認識して抽出されたアドレス情報を利用するので、画像情報からＷｅｂサイトにアクセスできる再利用効率の高いファイルを生成できるという効果を奏する。
【００６１】
また、本発明（請求項１３）にかかるアドレス情報再現方法は、ハイパーテキスト形式でアドレス情報を記述するので、画像情報からＷｅｂサイトにアクセスできる再利用効率の高いファイルを生成できるという効果を奏する。
【００６２】
また、本発明（請求項１４）にかかるアドレス情報再現方法は、Ｗｅｂサイトの存在を確認して抽出されたアドレス情報を埋めこんで利用するので、無駄無く画像情報からＷｅｂサイトにアクセスできる再利用効率の高いファイルを生成できるという効果を奏する。
【００６３】
また、本発明（請求項１５）にかかるアドレス情報再現方法は、Ｗｅｂサイトから受信する画像情報に対しても、画像情報から文字認識し抽出されたアドレス情報を利用するので、Ｗｅｂサイトからの画像情報を入力した画像情報から一般のＷｅｂサイトにアクセスできる再利用効率の高いファイルを生成できるという効果を奏する。
【００６４】
また、本発明（請求項１６）にかかるアドレス情報再現方法は、Ｗｅｂサイトに画像情報が存在した場合、Ｗｅｂサイトの画像を受信してクリッカブル領域の画像に使用するので、視認しやすく且つ新たにクリッカブル領域画像を生成する必要がないので、無駄なく画像情報からＷｅｂサイトにアクセスできる再利用効率の高いファイルを生成できるという効果を奏する。
【００６５】
また、本発明（請求項１７）にかかるプログラムは、請求項９〜１５のいずれか１つに記載のアドレス情報再現方法をコンピュータに実行させることができるという効果を奏する。
【００６６】
また、本発明（請求項１８）にかかるアドレス情報再現可能な情報端末は、画像情報のアドレス情報が示すＷｅｂサイトへのリンクが可能なアドレス情報再現機能を有するファイルを生成するので、画像情報からＷｅｂサイトにアクセスできる再利用効率の高いファイルを生成できるアドレス情報再現機能を有する情報端末を提供できるという効果を奏する。
【００６７】
また、本発明（請求項１９）にかかるアドレス情報再現可能な情報端末は、デジタル複合機の持つスキャナ機能によって読み取った後、アドレス情報再現機能によってアドレス情報再現可能なファイルを生成し、必要な場合ネットワークと介して他の情報端末に送信することができるので、画像情報からＷｅｂサイトにアクセスできる再利用効率の高いファイルを生成できるアドレス情報再現機能を有するデジタル複合機として構成できるという効果を奏する。また、再現されたアドレス情報の示すＷｅｂサイトにアクセスしてホームページをダウンロードし、その場で印刷することができるデジタル複合機として構成できるという効果を奏する。
【００６８】
また、本発明（請求項２０）にかかるアドレス情報再現可能な情報端末は、画像情報を受信し、画面に表示させて、表示された画面上からリンク可能なアドレス情報をクリックすることによって、該当するＷｅｂサイトにアクセスしてＷｅｂサイトのコンテンツを表示画面上で視聴することができるアドレス情報再現機能を有する携帯型電話機として構成できるという効果を奏する。
【００６９】
また、本発明（請求項２１）にかかるアドレス情報再現可能な情報端末は、画像情報を受信して、該画面上からリンク可能なアドレス情報をクリックすることによって、該当するＷｅｂサイトにアクセスすることのできるアドレス情報再現機能を有するＤＶＤ録画機として構成できるという効果を奏する。
【発明を実施するための最良の形態】
【００７０】
以下に添付図面を参照して、この発明にかかるアドレス情報再現装置、アドレス情報再現方法、その方法をコンピュータに実行させるプログラム、およびアドレス情報再現可能な情報端末の最良な実施の形態を詳細に説明する。
【００７１】
（１．実施の形態にかかるＵＲＬ情報再現装置の構成）
図１は、実施の形態によるＵＲＬ情報再現装置の機能的ブロック図である。ＵＲＬ（Ｕｎｉｆｏｒｍ  Ｒｅｓｏｕｒｃｅ  Ｌｏｃａｔｏｒ）情報再現装置１０は、入力インタフェース（Ｉ／Ｆ）１２、抽出部１３，埋込部１４，ファイル生成部１５、および通信部１６を備える。ここで、再現すべきアドレス情報として、ＵＲＬ情報を例に挙げて説明するが、扱う情報としてはアドレス情報であれば良く、ＵＲＬ情報に限定するものではない。
【００７２】
ＵＲＬ情報再現装置１０の入力Ｉ／Ｆ１２は、スキャナ３に接続され、スキャナ３が読み込む原稿画像情報を入力する。入力Ｉ／Ｆ１２はまた、スキャナ３からだけでなく、例えばネットワーク１を介してネットワークに接続されるＷｅｂサイト２、あるいは画像入力機器（不図示）から画像情報を入力することができる。
【００７３】
抽出部１３は、入力Ｉ／Ｆ１２を介して、あるいは通信部１６を介して入力した画像情報中のＵＲＬ（Ｕｎｉｆｏｒｍ  Ｒｅｓｏｕｒｃｅ  Ｌｏｃａｔｏｒ）情報を抽出する。
【００７４】
ここで抽出部１３は、入力した画像情報を判定し、文字情報であると判定した場合は、ＯＣＲ（Ｏｐｔｉｃａｌ  Ｃｈａｒａｃｔｅｒ  Ｒｅｃｏｇｎｉｔｉｏｎ＝光学的文字認識）によって、ＵＲＬ情報を取得し、文字列化する。
【００７５】
また、抽出部１３は、文字情報でないと判定した場合、バーコード認識処理を施し、ＵＲＬ情報を文字列化できたか否かを判定する。
【００７６】
埋込部１４は、画像情報中に、抽出したＵＲＬ情報を示す画像の近傍に該ＵＲＬが示すＷｅｂサイトへのリンク要求を受け付けるクリッカブル領域画像を生成する。さらに埋込部１４は、生成したクリッカブル領域画像において、リンク要求が受け付けられた場合、ＵＲＬ情報に該当するＷｅｂサイトへリンクさせるリンク指示情報を埋め込み処理を施す。
【００７７】
ファイル生成部１５は、入力した画像情報、埋込部１４によって生成されたクリッカブル領域画像、および埋め込まれたリンク指示情報を合成したファイルを生成する。ファイル生成部１５によって生成されたファイルは、例えばＰＤＡに送信し、ＰＤＡが開いた場合、クリッカブル領域画像をクリックすることによって、埋め込まれたリンク指示情報によってＵＲＬ情報が示すＷｅｂサイトにアクセスできる。このようにして、本実施の形態によるＵＲＬ情報再現装置によって、Ｗｅｂサイトへリンク可能なＵＲＬ情報を再現したファイルが生成できる。
【００７８】
ここで、本実施の形態のＵＲＬ情報再現装置１０は、スキャナ３が読み取る画像情報中にバーコードあるいは文字画像に限らず、ＵＲＬ情報と対応付け可能な所定の画像情報が含まれていれば、該所定の画像情報とＵＲＬ情報とを対応付けることによってＵＲＬ情報として認識可能に構成できる。
【００７９】
ここで埋込部１４は、ＵＲＬ情報が示すＷｅｂサイトにアクセスさせるリンク指示情報を、ハイパーテキスト形式で記述して埋め込むことが望ましいが、実施の態様においてはハイパーテキスト形式に限らなくても良い。
【００８０】
ここで埋込部１４は、クリッカブル領域画像として、読み取った原稿画像に記されているＱＲコード画像を採用できる。埋込部１４は、このＱＲコード画像領域に、上記のＷｅｂサイトにアクセスさせるリンク指示情報を埋め込む。
【００８１】
ここで埋込部１４は、通信部１６がＵＲＬの示すＷｅｂサイトにアクセスして当該Ｗｅｂサイトが存在していた場合にのみ、リンク指示情報をクリッカブル領域画像に埋め込むことが望ましい。実際に存在しないリンク先への指示情報を埋め込んでも無駄が多いからである。
【００８２】
図２は、スキャナが読み取った原稿の画像情報から、ＵＲＬ情報が再現されたファイルへと変換処理が施されることを説明する図である。紙媒体の読み取り原稿２１には、ＱＲコード２２，および２３、文章および画像２４が印刷されている。これをスキャナ３で原稿全体を読み取り、認識した結果の文字列は、図中符号２２ｈおよび２３ｈで表された以下の文字列である。
【００８３】
http://www.ricoh.co.jp/abc.html 
http://www.ricoh.co.jp/def.html 
【００８４】
上記のＵＲＬ情報をリンク可能にＨＴＭＬファイル化（あるいはＰＤＦファイル化）する。ＨＴＭＬ化したファイル２５には、ＱＲコード画像はそのままＱＲコード画像２６および２７として示されているが、ＱＲコード画像２６および２７をクリッカブル領域画像としてハイパーリンクを指示する指示情報が埋め込まれている。読み取られて埋め込まれたハイパーリンク情報は図中、文字列２２ｈおよび２３ｈである。
【００８５】
図３は、スキャナが読み取った原稿の画像情報から、ＵＲＬ情報が再現可能なファイルへと変換処理が施されることを説明する他の図である。紙媒体の読み取る原稿３１には、ＱＲコード３２および３３、文章および画像３４が印刷されている。これをスキャナ３で読み取り、認識した結果の文字列は、図中符号３２ｈおよび３３ｈで表された以下の文字列である。
【００８６】
http://www.ricoh.co.jp/abc.jpg
http://www.ricoh.co.jp/def.jpg
【００８７】
図２で説明したと同様にしてＨＴＭＬ化したファイル３５には、ＱＲコード画像３２および３３の代わりにリンク先画像３６および３７がクリッカブル領域画像として合成されている。このリンク先画像３６および３７の領域には、ハイパーリンクを指示する指示情報が埋め込まれている。読み取られて埋め込まれたハイパーリンク情報は図中、文字列３２ｈおよび３３ｈである。
【００８８】
（２．ＵＲＬ情報再現装置によるＵＲＬ情報再現可能なファイルの生成手順）
図４は、実施の形態によるＵＲＬ情報再現手順を説明するフローチャートである。スキャナ３が原稿を読み取る場合、抽出部１３は読み込まれた画像情報を検出可能状態にある（ステップＳ１０１）。抽出部１３が画像情報の入力を検出した場合（ステップＳ１０１のＹｅｓ）、抽出部１３は、文字領域を検出したか否かを判定する（ステップＳ１０２）。文字領域を検出したと判定した場合（ステップＳ１０２のＹｅｓ）、抽出部１３はさらに、ＯＣＲによって文字列化できたか否かを判定し（ステップＳ１０３）、文字列化できなければステップＳ１０１に戻り（ステップＳ１０３のＮｏ）、文字列化できた場合（ステップＳ１０３のＹｅｓ）、後述するステップＳ１０５に移行する。
【００８９】
また、抽出部１３が文字領域を検出しなかった場合（ステップＳ１０２のＮｏ）、抽出部１３は、バーコード認識によって文字列化できるか否かを判定する。バーコード認識によって文字列化できなかった場合（ステップＳ１０４のＮｏ）、ステップＳ１０１に戻り、文字列化できた場合（ステップＳ１０４のＹｅｓ）、通信部１６は、文字列化されたＵＲＬ情報がアクセス可能なものであるか否かを判定する（ステップＳ１０５）。通信部１６がアクセス不可能なＷｅｂサイトを示したＵＲＬ情報である場合（ステップＳ１０５のＮｏ）は、ステップＳ１０１に戻る。
【００９０】
通信部１６がアクセス可能なＷｅｂサイトであると判定した場合（ステップＳ１０５のＹｅｓ）、埋込部１４はスキャンされた全画像を背景画像に設定する（ステップＳ１０６）。さらに、埋込部１４はクリッカブル領域を作成し（ステップＳ１０７）、出力するファイルのフォーマットを決定し（ステップＳ１０８）、クリッカブル領域にＵＲＬ情報を示すＷｅｂサイトへのリンク指示情報を埋め込む（ステップＳ１０９）。
【００９１】
ファイル生成部は、背景画像、クリッカブル領域画像、および埋め込まれた指示情報を合成してファイルを生成し出力する（ステップＳ１１０）。
【００９２】
（３．ＵＲＬ情報再現装置の変形例）
ここで、通信部１６がアクセスするＵＲＬの示すＷｅｂサイトから受信する情報が画像情報を含む場合、埋込部１４は、Ｗｅｂサイトから受信したアイコンなどの画像を使用して、クリッカブル領域画像を生成することが望ましい。画像を新しく生成するよりも既成の、しかもＷｅｂサイトの特徴を表現できるＷｅｂサイトからの画像を使う方が無駄が無く、より表現の豊かな画像となるからである。
【００９３】
抽出部１３が、受信する画像中のバーコードからＵＲＬが示すＷｅｂサイトにおける表示画像パス情報を抽出した場合、通信部１６は抽出部１３によって抽出された表示画像パス情報に従ってパス情報に示されたＷｅｂサイトのアイコン画像および他の画像を取得する。そして、埋込部１４は、抽出部１３により抽出された表示画像パス情報に代えて、通信部１６により取得されたアイコン画像、他の画像、およびバーコードの画像のうちの１つ以上の画像を、クリッカブル領域画像として生成する。
【００９４】
図５は、スキャナが読み取った原稿の画像情報から、ＵＲＬ情報が再現可能なファイルへと変換処理が施されることを説明する他の図である。紙媒体の読み取り原稿５１には、ＱＲコード５２および５３、文章および画像５４が印刷されている。これをスキャナ３で読み取り、認識した結果の文字列をハイパーテキスト化すると、図中符号５２ｈおよび５３ｈで表された以下の文字列となる。
【００９５】
<a href="http://www.ricoh.co.jp/abc.html"> <img src=" http://www.ricoh.co.jp/logo.gif"></a>
<a href="http://www.ricoh.co.jp/def.html"> <img src=" http://www.ricoh.co.jp/logo.gif"></a>
【００９６】
図３で説明したと同様にしてＨＴＭＬ化したファイル５５には、ＱＲコード画像５２および５３の代わりにリンク先画像５６および５７がクリッカブル領域画像として合成されている。ここでクリッカブル領域画像は、表示画像パス情報に従って通信部１６がアクセスして受信したアイコン、Ｗｅｂサイト上の画像、ロゴ画像、あるいはバーコードの画像である。このリンク先画像５６および５７の領域には、ハイパーリンクを指示する指示情報が埋め込まれている。読み取られて埋め込まれたハイパーリンク情報は図中、文字列５２ｈおよび５３ｈである。
【００９７】
図６は、表示画像パス情報に従ってクリッカブル領域画像を取得する手順を説明するフローチャートである。図４におけるステップＳ１０６から開始する。通信部１６は、ＵＲＬの表示画像パス情報が示すＷｅｂサイトへアクセスする（ステップＳ２０１）。通信部１６は、Ｗｅｂサイト上に画像情報があるか否かを判定し（ステップＳ２０２）、画像情報があった場合は（ステップＳ２０２のＹｅｓ）、ダウンロードする（ステップＳ２０３）。なかった場合は（ステップＳ２０２のＮｏ）、図４のステップＳ１０７へ移行する。
【００９８】
埋込部１４は、ダウンロードしたＷｅｂサイトの画像によりクリッカブル領域画像を生成し、リンク指示情報を埋め込んで（ステップＳ２０４）、図４のステップＳ１０８に移行する。
【００９９】
（４．効果）
バーコードの画像を含むアドレスが記された紙を含む原稿全体をスキャンされた画像情報を入力した場合、入力した画像情報の中でアドレスが描かれている位置を自動的に判別して認識し、認識されたアドレス情報の示すＷｅｂサイトへのリンクおよび該リンクを表示するアイコンを画像上に合成してファイルを生成することにより、アドレスを含む画像をアーカイブした後にＷｅｂサイトにアクセスできるので再利用効率を高めることができる。
【０１００】
（５．情報端末への適用例）
実施の形態によるＵＲＬ情報再現装置を情報端末に組み込むことができる。ＵＲＬ情報再現装置を組み込む情報端末としては、例えばデジタル複合機、携帯型電話機、ＤＶＤ（Ｄｉｇｉｔａｌ  Ｖｅｒｓａｔｉｌｅ  Ｄｉｓｃ）録画機、および携帯情報端末（ＰＤＡ）（不図示）が可能である。
【０１０１】
ＵＲＬ情報再現装置を組み込むことによって、デジタル複合機は、スキャナ機能によって読み取った後ＵＲＬ情報再現機能によってＵＲＬ情報再現可能なファイルを生成し、必要な場合ネットワークと介して他の情報端末に送信することができる。あるいは、デジタル複合機においてＵＲＬ情報の示すＷｅｂサイトにアクセスしてホームページをダウンロードし、その場で印刷するような使用方法が可能である。
【０１０２】
携帯型電話機に適用することによって、画像情報を受信し、画面に表示させて、表示された画面上からリンク可能なＵＲＬ情報をクリックすることによって、該当するＷｅｂサイトにアクセスしてＷｅｂサイトのコンテンツを表示画面上で視聴することができる。
【０１０３】
ＤＶＤ録画機に適用した場合は、画像情報を受信して、表示画面に表示させ、表示された画面上からリンク可能なＵＲＬ情報をクリックすることによって、該当するＷｅｂサイトにアクセスすることのできる画像情報を録画することができる。
【０１０４】
携帯情報端末に適用することによって、画像情報を受信し、画面に表示させて、表示された画面上からリンク可能なＵＲＬ情報をクリックすることによって、該当するＷｅｂサイトにアクセスしてＷｅｂサイトのコンテンツを表示画面上で視聴することができる。
【０１０５】
（６．ハードウェア構成および記録媒体）
図７は、実施の形態によるＵＲＬ情報再現装置のハードウェア構成例を示す図である。上述したＵＲＬ情報再現装置は、あらかじめ用意されたプログラムをパーソナルコンピュータ、ワークステーション、あるいはマイクロコンピュータなどのコンピュータシステムで実行することによって実現できる。コンピュータ１００は、ＣＰＵ（Ｃｅｎｔｒａｌ  Ｐｒｏｃｅｓｓｉｎｇ  Ｕｎｉｔ）１０１によって装置全体が制御されている。ＣＰＵ１０１には、バス１０７を介してＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ハードディスクドライブ（ＨＤＤ：Ｈａｒｄ  Ｄｉｓｋ  Ｄｒｉｖｅ）１０４、グラフィック処理装置１０５、入力インタフェース１０６、および通信装置１０８が接続されている。ＲＯＭ１０２、およびＲＡＭ１０３には、ＣＰＵ１０１に実行させるＯＳ（Ｏｐｅｒａｔｉｎｇ  Ｓｙｓｔｅｍ）のプログラムやアプリケーションプログラムの少なくとも一部が格納される。またＲＡＭ１０３には、ＣＰＵ１０１による処理に必要な各種データが格納される。ＨＤＤ１０４には、ＯＳ、各種ドライバプログラム、アプリケーションプログラム、検出されたデータなどが格納される。
【０１０６】
グラフィック処理装置１０５には、モニタ１１１が接続されている。グラフィック処理装置１０５は、ＣＰＵ１０１からの命令に従って、画像をモニタ１１１の画面に表示させる。入力インタフェース１０６には、キーボード１１２とマウス１１３とが接続されている。入力インタフェース１０６は、キーボード１１２やマウス１１３から送られてくる信号を、バス１０７を介してＣＰＵ１０１に送信する。
【０１０７】
以上のようなハードウェア構成によって、本実施の形態の処理機能を実現することができる。本実施の形態をコンピュータ１００上で実現するには、コンピュータ１００にドライバプログラムを実装する。
【０１０８】
尚、本実施の形態のＵＲＬ情報再現装置で実行されるＵＲＬ情報再現プログラムは、インストール可能な形式又は実行可能な形式のファイルでＣＤ−ＲＯＭ、フロッピー（Ｒ）ディスク、ＤＶＤ等のコンピュータで読み取り可能な記録媒体に記録されて提供される。
【０１０９】
また、本実施形態のＵＲＬ情報再現プログラムを、インターネット等のネットワークに接続されたコンピュータ上に格納し、ネットワーク経由でダウンロードさせることにより提供および配布するように構成しても良い。
【産業上の利用可能性】
【０１１０】
以上のように、本発明にかかるＵＲＬ情報再現装置、ＵＲＬ情報再現方法、その方法をコンピュータに実行させるプログラム、およびＵＲＬ情報再現可能な情報端末は、画像情報を基にしたファイル生成技術に有用であり、特に、入力された画像情報からＵＲＬ情報再現機能を有するファイルとして生成するファイル生成技術に適している。
【図面の簡単な説明】
【０１１１】
【図１】実施の形態によるＵＲＬ情報再現装置の機能的ブロック図である。
【図２】スキャナが読み取った原稿の画像情報から、ＵＲＬ情報が再現されたファイルへと変換処理が施されることを説明する図である。
【図３】スキャナが読み取った原稿の画像情報から、ＵＲＬ情報が再現可能なファイルへと変換処理が施されることを説明する他の図である。
【図４】実施の形態によるＵＲＬ情報再現手順を説明するフローチャートである。
【図５】スキャナが読み取った原稿の画像情報から、ＵＲＬ情報が再現可能なファイルへと変換処理が施されることを説明する他の図である。
【図６】表示画像パス情報に従ってクリッカブル領域画像を取得する手順を説明するフローチャートである。
【図７】実施の形態によるＵＲＬ情報再現装置のハードウェア構成例を示す図である。
【符号の説明】
【０１１２】
１  ネットワーク
２  Ｗｅｂサイト
３  スキャナ
１０  ＵＲＬ情報再現装置
１２  入力Ｉ／Ｆ
１３  抽出部
１４  埋込部
１５  ファイル生成部
１６  通信部
【図１】
2005242556.tif 000003
【図２】
2005242556.tif 000004
【図３】
2005242556.tif 000005
【図４】
2005242556.tif 000006
【図５】
2005242556.tif 000007
【図６】
2005242556.tif 000008
【図７】
2005242556.tif 000009